(57)【要約】【課題】  本発明は、簡易な構成で音質を格段に向上し得る音声再生装置及び音声再生方法を提案する。【解決手段】  外部操作に応じて指定された音楽信号に基づく音楽を再生する再生手段と、音楽信号に基づく音楽の低音域成分を抽出する低音域抽出手段と、低音域抽出手段によって抽出された低音域成分に同期させて振動を発生する振動発生手段とを設け、振動発生手段は、再生手段が音楽を再生すると同時に当該音楽の低音域成分に同期したタイミングで振動を発生するようにした。【選択図】        図１
2005236574.tif 000002
【特許請求の範囲】
【請求項１】
外部操作に応じて指定された音楽信号に基づく音楽を再生する再生手段と、
上記音楽信号に基づく音楽の低音域成分を抽出する低音域抽出手段と、
上記低音域抽出手段によって抽出された低音域成分に同期させて振動を発生する振動発生手段と
を具え、
上記振動発生手段は、
上記再生手段が上記音楽を再生すると同時に当該音楽の低音域成分に同期したタイミングで上記振動を発生する
ことを特徴とする音声再生装置。
【請求項２】
所定周波数でなるアイドリング信号を生成する信号生成手段と、
上記低音域抽出手段によって抽出された上記低音域成分に上記アイドリング信号を合成する信号合成手段と
を具え、
上記信号生成手段は、上記再生手段による上記音楽の再生時には、上記信号合成手段に上記アイドリング信号を継続して供給すると共に、
上記振動発生手段は、上記信号合成手段による合成結果に同期させて振動を発生する
ことを特徴とする請求項１に記載の音声再生装置。
【請求項３】
上記音楽信号に基づく音楽からリズムを抽出するリズム抽出手段と、
上記低音域抽出手段によって抽出された上記低音域成分に上記リズムを合成する信号合成手段と
を具え、
上記リズム抽出手段は、
上記再生手段による上記音楽の再生時には、上記信号合成手段に上記リズムを継続して供給すると共に、
上記振動発生手段は、上記信号合成手段による合成結果に同期させて振動を発生する
ことを特徴とする請求項１に記載の音声再生装置。
【請求項４】
外部操作に応じて指定された音楽信号に基づく音楽から低音域成分を抽出する第１のステップと、
上記音楽を再生すると同時に当該音楽の低音域成分に同期したタイミングで振動を発生する第２のステップと
を具えることを特徴とする音声再生方法。
【請求項５】
上記第１のステップでは、
継続して供給される所定周波数でなるアイドリング信号を上記低音域成分に合成し、
上記第２のステップでは、
上記音楽の再生時には、上記合成結果に同期させて振動を発生する
ことを特徴とする請求項４に記載の音声再生方法。
【請求項６】
上記第１のステップでは、
継続して供給される上記音楽信号に基づく音楽から抽出したリズムを上記低音域成分に合成し、
上記第２のステップでは、
上記音楽の再生時には、上記合成結果に同期させて振動を発生する
ことを特徴とする請求項４に記載の音声再生方法。
【発明の詳細な説明】
【技術分野】
【０００１】
本発明は、音声再生装置及び音声再生方法に関し、例えば携帯電話機に適用して好適なものである。
【背景技術】
【０００２】
従来、この種の携帯電話機においては、着信した際に、当該着信に対応する設定内容の音声を出力すると同時に、必要に応じて内蔵アクチュエータを所定の出力タイミングで駆動させて機器全体を振動させることにより、ユーザに着信を知らせるようになされている。
【０００３】
また近年では、二つ以上の高さの異なる音声を同時にひびかせるように合成して出力する和音機能や歌唱音声をメロディと同期させて出力する音楽再生機能等の種々の機能を着信時の応答用として搭載した携帯電話機が提案されている（例えば特許文献１。）。
【特許文献１】特開２００３−１６７５９４公報
【発明の開示】
【発明が解決しようとする課題】
【０００４】
ところが、一般に携帯電話機は、携帯性を向上させるべく小型化が要求されると共に長時間使用を可能とすべく小電力化が要求されているため、その筐体のサイズ及び消費電力には制限がある。
【０００５】
このためかかる制限に応じて内蔵されるスピーカのサイズ及び消費電力にも制限が加わることから、当該制限範囲内で設計されたスピーカを用いた場合では、上述した和音機能や音楽再生機能等を実行するには十分ではないという問題があった。
【０００６】
すなわち小型サイズ及び低消費電力のスピーカでは、再生音声の低音域の音圧レベルを上げることが技術的に非常に困難であるため、出力音声に歪みが生じ、この結果、低音域の音質が悪化するという問題があった。
【０００７】
本発明は以上の点を考慮してなされたもので、簡易な構成で音質を格段に向上し得る音声再生装置及び音声再生方法を提案するものである。
【課題を解決するための手段】
【０００８】
かかる課題を解決するために本発明においては、外部操作に応じて指定された音楽信号に基づく音楽を再生する再生手段と、音楽信号に基づく音楽の低音域成分を抽出する低音域抽出手段と、低音域抽出手段によって抽出された低音域成分に同期させて振動を発生する振動発生手段とを設け、振動発生手段は、再生手段が音楽を再生すると同時に当該音楽の低音域成分に同期したタイミングで振動を発生するようにした。
【０００９】
この結果この音声再生装置では、ユーザが所望する音楽が再生すると同時に当該音楽の低音域成分として振動発生部から振動を出力することができ、かくして小型サイズ及び低消費電力が要求される場合であっても、容易に低音域の音圧レベルを上げながら音楽を再生することができる。
【００１０】
また本発明においては、外部操作に応じて指定された音楽信号に基づく音楽から低音域成分を抽出した後、かかる音楽を再生すると同時に当該音楽の低音域成分に同期したタイミングで振動を発生するようにした。
【００１１】
この結果この音声再生方法では、ユーザが所望する音楽が再生すると同時に当該音楽の低音域成分として振動を出力することができ、かくして小型サイズ及び低消費電力が要求される場合であっても、容易に低音域の音圧レベルを上げながら音楽を再生することができる。
【発明の効果】
【００１２】
以上のように本発明によれば、外部操作に応じて指定された音楽信号に基づく音楽を再生する再生手段と、音楽信号に基づく音楽の低音域成分を抽出する低音域抽出手段と、低音域抽出手段によって抽出された低音域成分に同期させて振動を発生する振動発生手段とを設け、振動発生手段は、再生手段が音楽を再生すると同時に当該音楽の低音域成分に同期したタイミングで振動を発生するようにしたことにより、小型サイズ及び低消費電力が要求される場合であっても、容易に低音域の音圧レベルを上げながら音楽を再生することができ、かくして簡易な構成で音質を格段に向上し得る音声再生装置を実現できる。
【００１３】
また本発明によれば、外部操作に応じて指定された音楽信号に基づく音楽から低音域成分を抽出した後、かかる音楽を再生すると同時に当該音楽の低音域成分に同期したタイミングで振動を発生するようにしたことにより、小型サイズ及び低消費電力が要求される場合であっても、容易に低音域の音圧レベルを上げながら音楽を再生することができ、かくして簡易な構成で音質を格段に向上し得る音声再生方法を実現できる。
【発明を実施するための最良の形態】
【００１４】
以下図面について、本発明の一実施の形態を詳述する。
【００１５】
（１）第１の実施の形態
（１−１）第１の実施の形態による携帯電話機の構成
図１において、１は全体として第１の実施の形態による携帯電話機を示し、通信部２、通話部３、出力部４及び表示部５がバス６を介して携帯電話機１全体の制御を司る制御部７と接続され、当該制御部７の制御に基づいて各種動作を実行するようになされている。
【００１６】
この制御部７は、システム全体の制御を司るＣＰＵ（Central Processing Unit）８と、各種制御プログラムやデータファイルが記憶されているＲＯＭ（Read Only Memory）９と、ＣＰＵ８のワークメモリとしてのＲＡＭ（Random Access Memory）１０とがバスを介して接続されることにより構成されている。
【００１７】
ＣＰＵ８は、操作部１１を介してユーザから所望の操作内容が入力されると、当該操作内容に応じてＲＯＭ９に格納されている各種制御プログラムやデータファイルを読み出して表示部５及び出力部４の双方又は一方に送出する。
【００１８】
表示部５は、画像処理部１２及び液晶ディスプレイ１３からなり、着信時や操作入力時などには、画像処理部１２においてＣＰＵ８の制御の下でＲＯＭ９から読み出された制御プログラムやデータファイルに基づいて画像信号Ｓ１を生成し、当該画像信号Ｓ１に基づく画像を液晶ディスプレイ１３の表示画面に表示させるようになされている。
【００１９】
通話部３は、マイクロホン１４を介して入力した自己の発話内容を発話音声処理部１５において発話信号Ｓ２に変換し、当該発話信号Ｓ２を通信部２を介してアンテナ１６から送信する発話系と、アンテナ１６を介して通信部２に受信した通話相手からの発話内容を受話音声処理部１７において受話信号Ｓ３に変換し、当該受話信号Ｓ３に基づく音声を増幅器１８を介して通話用スピーカ１９から放音させる受話系とから構成されている。
【００２０】
出力部４は、着信時や音楽再生時などには、音声処理部２０においてＣＰＵ８の制御の下でＲＯＭ９から読み出された制御プログラムやデータファイルに基づいてアナログ変換してなる音楽信号Ｓ４を生成し、当該音楽信号Ｓ４に基づく音楽を増幅器２１を介して音楽用スピーカ２２から放音させるようになされている。
【００２１】
また出力部４は、着信時などには、駆動処理部２３においてＣＰＵ８の制御の下でＲＯＭ９から読み出された制御プログラムに基づいて駆動信号Ｓ５を生成し、当該駆動信号Ｓ５に基づく所定の出力タイミングでアクチュエータ２４を駆動させるようになされている。
【００２２】
かかる構成に加えて携帯電話機１においては、ユーザによる設定内容に応じて、ユーザが選曲した音楽を音楽用スピーカ２２から放音させると同時に、当該音楽の低音域成分に合わせてアクチュエータ２４を駆動させながら低域音を出力するようになされている。
【００２３】
この携帯電話機１における出力部４では、スイッチ部２５、低音域抽出部２６及び信号変調部２７が設けられ、ＣＰＵ８の制御に応じてスイッチ部２５をオン状態又はオフ状態に制御し、オン状態の場合には音声処理部２０から出力される音楽信号Ｓ４をスイッチ部２５を介して低音域抽出部２６に送出する。
【００２４】
このときＣＰＵ８は、スイッチ部２５をオン状態に制御すると同時に、予め設定された所定のレベル（振幅）及び周波数でなるアイドリング信号（図２（Ｃ））Ｓ６を信号変調部２７に継続して送出する。かかるアイドリング信号Ｓ６のレベル及び周波数は、実際のアクチュエータ２４の駆動時に携帯電話機１を保持するユーザが振動を感じない程度の低レベル（すなわち小振幅）及び低周波数となるように予め設定されている。
【００２５】
低音域抽出部２６は、供給される音楽信号（図２（Ａ））Ｓ４をローパスフィルタ（図示せず）を介して低周波数成分（数十〔Ｈｚ〕〜百数十〔Ｈｚ〕）を検出した後、当該検出結果として得られる低音域信号（図２（Ｂ））Ｓ７を信号変調部２７に送出する。
【００２６】
この信号変調部２７は、ＣＰＵ８から継続して供給されるアイドリング信号Ｓ６に、低音域抽出部２６から供給された低音域信号Ｓ７を合成させるようにして、双方の信号レベルが重畳してなる変調駆動信号（図２（Ｄ））Ｓ８を生成した後、当該変調駆動信号Ｓ８を駆動処理部２３に送出する。
【００２７】
この変調駆動信号Ｓ８は、低音域信号Ｓ７と比較してアイドリング信号Ｓ６の信号レベル分だけ立ち上がり時間が早められている。すなわち図３（Ａ）に示す低音域信号Ｓ７の波形Ｗ１のような波形形状と比較して、変調駆動信号Ｓ８の波形Ｗ２では、図３（Ｂ）に示すようにピーク値に達するまでの到達時間を早めることができる。
【００２８】
駆動処理部２３は、信号変調部２７から与えられた変調駆動信号Ｓ８に基づく出力タイミングでアクチュエータ２４を駆動する。
【００２９】
なお、出力部４では、ユーザから操作部１１を介して所定の操作内容が入力されたとき、ＣＰＵ８の制御に基づき、スイッチ部２５がオフ状態に切り換えられると同時にアイドリング信号Ｓ６の駆動処理部２３への供給が停止されるようになされている。
【００３０】
このように出力部４では、音楽用スピーカ２２からユーザが選曲した音楽を放音させると同時に、アクチュエータ２４を当該音楽の低音域成分に合わせて駆動させるようになされ、その際、音楽の低音域成分を表す低音域信号Ｓ７に所定周波数のアイドリング信号Ｓ６を合成させた分だけ、当該低音域信号Ｓ７のみを駆動処理部２３に供給してアクチュエータ２４を駆動させる場合と比較して、アクチュエータ２４の応答速度を向上し得るようになされている。
【００３１】
（１−２）着信モード機能
ここで携帯電話機１には、通話相手からの電波を着信した際に、ユーザの操作により予め設定された着信モードに応じてアクチュエータ２４を駆動させる機能（以下、これを着信モード機能と呼ぶ）が搭載されている。
【００３２】
かかるアクチュエータ２４を用いる着信モードとしては、ミュート状態にしてアクチュエータ２４のみを駆動させるマナーモード、音声出力と同時にアクチュエータ２４を駆動させる通常着信モード、及び音楽再生と同時に当該音楽の低域成分を補うためにアクチュエータ２４を駆動させる低域再生モードの３種類がある。
【００３３】
実際に携帯電話機１のＣＰＵ８は、携帯電話機１の電源が投入された状態において、上述の着信モード機能を実行するための図４に示す着信モード機能処理手順ＲＴ１をステップＳＰ０から開始し、続くステップＳＰ１おいて、通話相手からの電波を着信するのを待ちながら、着信があった場合のみステップＳＰ２に進む。
【００３４】
やがてＣＰＵ８は、ステップＳＰ２に進んで、現在設定されている着信モードを判断する。このステップＳＰ２において、低域再生モードが設定されている場合は、ＣＰＵ８は、ステップＳＰ３に進んで、スイッチ部２５をオン状態に切り換える。
【００３５】
続いてＣＰＵ８は、ステップＳＰ４に進んで、ユーザが所望する音楽を音楽用スピーカ２２から放音させると同時に、当該音楽から抽出した低音域成分に合わせてアクチュエータ２４をその応答速度を向上させながら駆動させる。
【００３６】
一方、上述のステップＳＰ２において、マナーモードが設定されている場合は、ＣＰＵ８は、ステップＳＰ５に進んで、スイッチ部２５をオフ状態に切り換えた後、ステップＳＰ６に進んで、所定の出力タイミングでアクチュエータ２４のみを駆動させる。
【００３７】
他方、上述のステップＳＰ２において、通常着信モードが設定されている場合は、ＣＰＵ８は、ステップＳＰ７に進んで、スイッチ部２５をオフ状態に切り換えた後、ステップＳＰ８に進んで、ユーザが所望する音声を音楽用スピーカ２２から放音させると同時に所定の出力タイミングでアクチュエータ２４を駆動させる。
【００３８】
やがてＣＰＵ８は、ステップＳＰ９において、ユーザから通話開始に応じた操作内容を受けるのを待った後、当該操作があった場合のみ通話終了の指示を受けたと判断してステップＳＰ１０に進む。
【００３９】
このステップＳＰ１０において、ＣＰＵ８は、音楽用スピーカ２２からの音楽又は音声の出力を停止すると共に、アクチュエータ２４の駆動を停止した後、ステップＳＰ１１に進む。
【００４０】
このステップＳＰ１１において、ＣＰＵ８は、通話終了後に着信待ち受け状態に設定されたか否かを判断し、肯定結果が得られた場合には次の着信を待ち受けるべく、再度ステップＳＰ１に戻って上述と同様の処理を繰り返す。
【００４１】
これに対してステップＳＰ１１において否定結果が得られると、このことは電源オフ状態など着信を待ち受ける状態に設定されていないことを意味し、このときＣＰＵ８は、ステップＳＰ１２に進んで、着信モード機能処理手順ＲＴ１を終了する。
【００４２】
このように携帯電話機１では、ＣＰＵ８は、通話相手からの着信を受けた際に、ユーザにより設定された着信モードに応じた出力形態で、音楽用スピーカ２２から音楽又は音声の出力させたり、アクチュエータ２４を駆動させたりすることができる。
【００４３】
（１−３）第１の実施の形態による動作及び効果
以上の構成において、この携帯電話機１では、着信モードとして低域再生モードが設定されている状態で着信を受けた際に、ユーザが選曲した音楽を音楽用スピーカ２２から放音させると同時に、当該音楽から抽出した低音域成分に合わせてアクチュエータ２４を駆動させる。
【００４４】
この結果、携帯電話機１では、ユーザが所望する音楽が再生すると同時にアクチュエータ２４の振動を当該音楽の低音域成分として出力することができ、かくして小型サイズ及び低消費電力のスピーカであっても、容易に低音域の音圧レベルを上げながら音楽を再生することができる。
【００４５】
さらにアクチュエータ２４を駆動する際に、音楽の低音域成分を表す低音域信号Ｓ７に所定周波数のアイドリング信号Ｓ６を合成させたことにより、音楽を低音域成分のままでアクチュエータ２４を駆動させる場合と比較して、当該アイドリング信号Ｓ６の信号レベル分だけアクチュエータ２４の応答速度を格段と向上させることができる。
【００４６】
以上の構成によれば、この携帯電話機１において、着信モードとして低域再生モードが設定された状態で着信を受けた際に、ユーザが選曲した音楽を音楽用スピーカ２２から放音させると同時に、当該音楽から抽出した低音域成分に合わせてアクチュエータ２４を駆動させるようにしたことにより、小型サイズ及び低消費電力のスピーカであっても、容易に低音域の音圧レベルを上げながら音楽を再生することができ、かくして簡易な構成で音質を格段に向上し得る携帯電話機１を実現できる。
【００４７】
（２）第２の実施の形態
（２−１）第２の実施の形態による携帯電話機の構成
図１との対応部分に同一符号を付して示す図５において、３０は全体として第２の実施の形態における携帯電話機を示し、上述した第１の実施の形態における携帯電話機１（図１）とは、出力部４の低音域抽出部２６に代えて出力部３１にテンポ抽出部３２が設けられていること、及びＣＰＵ８から信号変調部２７にアイドリング信号Ｓ６が供給されないことを除いて同様に構成されている。
【００４８】
図５に示す携帯電話機においては、ユーザによる設定内容に応じて、ユーザが選曲した音楽を音楽用スピーカ２２から放音させると同時に、当該音楽のテンポに合わせてアクチュエータ２４を駆動させながら低域音を出力するようになされている。
【００４９】
この携帯電話機における出力部３１では、スイッチ部２５及びリズム抽出部３２が設けられ、ＣＰＵ８の制御に応じてスイッチ部２５をオン状態又はオフ状態に制御し、オン状態の場合には音声処理部２０から出力される音楽信号Ｓ４をスイッチ部２５を介してリズム抽出部３２に送出する。
【００５０】
このリズム抽出部３２は、供給される音楽信号Ｓ４に基づく音楽の基本要素のうちリズムを抽出する。基本的に音楽は、メロディ（旋律）、ハーモニ（和音）及びリズム（拍子）の３種類の要素から構成される。このうちリズムは、連続する一定の拍子を意味し、当該拍子の速度（テンポ）を１分間に４分音符がいくつ入るかを単位として表すようになされている。
【００５１】
具体的にリズム抽出部３２は、当該音楽信号Ｓ４をローパスフィルタ（図示せず）を介して低周波数成分（数十〔Ｈｚ〕〜百数十〔Ｈｚ〕）を検出した後、当該検出結果として得られる低音域信号Ｓ９を信号変調部２７に送出する。
【００５２】
これと共にリズム抽出部３２は、得られた低音域信号Ｓ９を所定レベルに設定した閾値を基準として、当該低音域信号Ｓ９における信号レベルのピークの立ち上がりを順次検出する。
【００５３】
続いてリズム抽出部３２は、得られた信号レベルの各ピークの立ち上がり時点から所定期間だけデータを無視する期間（ピーク幅）を設定し、そのピーク幅を除いた信号波形を解析するようにして、各ピーク同士の間隔（ピーク間隔）を計算する。
【００５４】
このようにしてリズム抽出部３２は、低音域信号Ｓ９における信号レベルのピーク間隔の平均値を求めた後、当該ピーク間隔の平均値を表す周波数をリズム（拍子）として得ることができ、当該リズムを表すリズム信号Ｓ１０を信号変調部２７に継続して送出する。
【００５５】
この信号変調部２７は、低音域抽出部２６から供給される低音域信号Ｓ９及びリズム信号Ｓ１０を合成させるようにして、双方の信号レベルが重畳してなる変調駆動信号Ｓ１１を生成した後、当該変調駆動信号Ｓ１１を駆動処理部２３に送出する。
【００５６】
駆動処理部２３は、信号変調部２７から与えられた変調駆動信号Ｓ１１に基づく出力タイミングでアクチュエータ２４を駆動する。
【００５７】
なお、出力部３１では、ユーザから操作部１１を介して所定の操作内容が入力されたとき、ＣＰＵ８の制御に基づき、スイッチ部２５がオフ状態に切り換えられると同時にリズム抽出部３２からリズム信号Ｓ１０の信号変調部２７への供給が停止されるようになされている。
【００５８】
このように出力部４では、音楽用スピーカ２２からユーザが選曲した音楽を放音させると同時に、アクチュエータ２４を当該音楽の低音域成分に合わせて駆動させるようになされ、その際、音楽の低音域成分を表す低音域信号Ｓ９にその音楽のリズムを表すリズム信号Ｓ１０を合成させた分だけ、当該低音域信号Ｓ９のみを駆動処理部２３に供給してアクチュエータ２４を駆動させる場合と比較して、アクチュエータ２４の応答速度を向上し得るようになされている。
【００５９】
（２−２）第２の実施の形態による動作及び効果
以上の構成において、この携帯電話機３０では、着信モードとして低域再生モードが設定されている状態で着信を受けた際に、ユーザが選曲した音楽を音楽用スピーカ２２から放音させると同時に、当該音楽から抽出した低音域成分に合わせてアクチュエータ２４を駆動させる。
【００６０】
この結果、携帯電話機３０では、ユーザが所望する音楽が再生すると同時にアクチュエータ２４の振動を当該音楽の低音域成分として出力することができ、かくして小型サイズ及び低消費電力のスピーカであっても、容易に低音域の音圧レベルを上げながら音楽を再生することができる。
【００６１】
さらにアクチュエータ２４を駆動する際に、音楽の低音域成分を表す低音域信号Ｓ９に当該音声のリズムを表すリズム信号Ｓ１０を合成させたことにより、音楽を低音域成分のままでアクチュエータ２４を駆動させる場合と比較して、当該リズム信号Ｓ１０の信号レベル分だけアクチュエータ２４の応答速度を格段と向上させることができる。
【００６２】
かかる第２の実施の形態の場合、音楽のリズムを表すリズム信号Ｓ１０を低音域信号Ｓ９に合成させるようにしたことにより、第１の実施の形態のように所定周波数でなるアイドリング信号Ｓ６を低音域信号Ｓ７に合成させる場合と比較して、確実に低音域信号Ｓ９とリズム信号Ｓ１０とを同期させることができ、この結果、信号波形におけるピーク値に達するまでの到達時間をより一層早めることができることから、アクチュエータ２４の応答速度をより一層向上させることができる。
【００６３】
以上の構成によれば、この携帯電話機３０において、着信モードとして低域再生モードが設定された状態で着信を受けた際に、ユーザが選曲した音楽を音楽用スピーカ２２から放音させると同時に、当該音楽から抽出した低音域成分に合わせてアクチュエータ２４を駆動させるようにしたことにより、小型サイズ及び低消費電力のスピーカであっても、容易に低音域の音圧レベルを上げながら音楽を再生することができ、かくして簡易な構成で音質を格段に向上し得る携帯電話機を実現できる。
【００６４】
（３）他の実施の形態
なお上述の本実施の形態においては、本発明による音声再生装置として図１に示すような携帯電話機１を適用するようにした場合について述べたが、本発明はこれに限らず、この他種々の構成からなる音声再生装置に広く適用することができると共に、腕時計、携帯情報機器（ＰＤＡ：Personal Digital Assistants）などのモバイル機器としての音声再生装置にも広く適用することができる。
【００６５】
また上述の実施の形態においては、本発明を着信時に音楽再生する場合について適用したが、本発明はこれに限らず、例えばアラーム時の音楽再生やユーザの操作により音楽再生した場合等この他種々の場合についても広く適用することができる。
【００６６】
さらに上述の実施の形態においては、外部操作に応じて指定された音楽信号に基づく音楽を再生する音楽用スピーカ（再生手段）２２と、音楽信号に基づく音楽の低音域成分を抽出する低音域抽出部（低音域抽出手段）２６と、低音域抽出部（低音域抽出手段）２６によって抽出された低音域成分に同期させて振動を発生する駆動処理部２３及びアクチュエータ２４（振動発生手段）とを、図１に示す携帯電話機内に設けられた出力部４から構成するようにした場合について述べたが、本発明はこれに限らず、要は音楽を再生すると同時に当該音楽の低音域成分に同期したタイミングでアクチュエータ（振動発生手段）２４を振動させることができれば、この他種々の構成のものに広く適用することができる。
【００６７】
さらに第１の実施の形態においては、所定周波数でなるアイドリング信号Ｓ６を生成するＣＰＵ（信号生成手段）８と、当該抽出された低音域成分にアイドリング信号Ｓ６を合成する信号変調部（信号合成手段）２７とを設け、音楽の再生時には、信号変調部（信号合成手段）２７にアイドリング信号Ｓ６を継続して供給すると共に、信号変調部（信号合成手段）２７による合成結果に同期させて振動を発生するようにした場合について述べたが、要は、アクチュエータ２４の応答速度を向上することができれば、この他種々の構成のものに広く適用することができる。
【００６８】
さらに第２の実施の形態においては、音楽信号Ｓ４に基づく音楽からリズムを抽出するリズム抽出部（リズム抽出手段）３２と、抽出された低音域成分にリズムを合成する信号変調部（信号合成手段）２７を設け、音楽の再生時には、信号変調部（信号合成手段）２７にリズムを継続して供給すると共に、信号変調部（信号合成手段）２７による合成結果に同期させて振動を発生するようにした場合について述べたが、要は、アクチュエータ（振動発生手段）２４の応答速度を向上することができれば、この他種々の構成のものに広く適用することができる。
【産業上の利用可能性】
【００６９】
本発明は、携帯電話機やＰＤＡ（Personal Digital Assistants）などの携帯型の音声再生装置に広く適用することができる。
【図面の簡単な説明】
【００７０】
【図１】第１の実施の形態による携帯電話機の構成を示すブロック図である。
【図２】第１の実施の形態による信号波形を示す略線グラフである。
【図３】アクチュエータにおける応答レスポンスの変化を示す略線グラフである。
【図４】着信モード機能処理手順を示すフローチャートである。
【図５】第２の実施の形態による携帯電話機の構成を示すブロック図である。
【図６】第２実施の形態による信号波形を示す略線グラフである。
【符号の説明】
【００７１】
１、３０……携帯電話機、２……通信部、３……通話部、４、３１……出力部、５……表示部、７……制御部、８……ＣＰＵ、９……ＲＯＭ、１０……ＲＡＭ、２０……音声処理部、２２……音楽用スピーカ、２３……駆動処理部、２４……アクチュエータ、２５……スイッチ部、２６……低音域抽出部、２７……信号変調部、３２……リズム抽出部。
【図１】
2005236574.tif 000003
【図２】
2005236574.tif 000004
【図３】
2005236574.tif 000005
【図４】
2005236574.tif 000006
【図５】
2005236574.tif 000007
【図６】
2005236574.tif 000008